(57)【要約】      （修正有）【課題】電源コントローラと電源コンセントとを組み合わせて、電源コントローラにより電源コンセントの給断電を制御する省電力装置を提供する。【解決手段】省電力装置１は、電源コントローラ１１と電源コンセント１３とを備え、電源コントローラ１１は、ホストコンピュータ２０の第２信号伝送インターフェース２０１を介してホストコンピュータ２０の操作モードを検知する第１信号伝送インターフェース１１１を有し、ホストコンピュータ２０の操作モードに基づいて制御信号を出力し、電源コンセント１３は、電源コントローラ１１との間で通信を互いに行ない、制御信号に基づいて給断電の切り替えを行ない、ホストコンピュータ２０が非稼働モードである場合、ホストコンピュータ２０の周辺機器への給電を遮断させ、ホストコンピュータ２０の周辺機器の電力を節約する。【選択図】図１
2011258173.tif 000002
【特許請求の範囲】
【請求項１】
ホストコンピュータの周辺機器の電力消費を省電力化するための省電力装置であって、
前記ホストコンピュータの第２信号伝送インターフェースを介して、前記ホストコンピュータの稼働モードまたは非稼働モードである操作モードを検知する第１信号伝送インターフェースを有し、前記ホストコンピュータが前記稼動モードの際、給電起動信号である第1制御信号を出力し、前記ホストコンピュータが前記非稼動モードの際、給電停止信号である第1制御信号を出力する電源コントローラと、
前記第１制御信号を受信するとともに、前記第１制御信号に基づいて電源コンセントの給断電を制御し、前記操作モードが前記非稼働モードの場合、前記ホストコンピュータの周辺機器への給電を遮断するように、前記電源コントローラと通信を行なう電源コンセントと、
を含む省電力装置。
【請求項２】
前記電源コントローラは、記憶装置、携帯型音楽プレーヤーまたはプロテクトドングルであり、前記第１及び第２信号伝送インターフェースは、それぞれＵＳＢインターフェースまたはＳＡＴＡインターフェースであり、
前記電源コントローラは、
前記第１信号伝送インターフェースに接続され、前記ホストコンピュータが出力したモード信号に基づいて、前記第１制御信号を発生する第１マイクロ制御手段と、
前記第１マイクロ制御手段に接続され、前記第１マイクロ制御手段が前記第１制御信号を発生した場合、前記電源コンセントに前記第１制御信号を出力する第１通信手段とを更に備え、
前記モード信号は、稼働モード信号または非稼働モード信号であり、前記第１マイクロ制御手段が前記非稼働モード信号を受信した場合、前記第１制御信号は給電停止信号であり、前記第１マイクロ制御手段が前記稼働モード信号を受信した場合、前記第１制御信号は給電起動信号であることを特徴とする請求項１に記載の省電力装置。
【請求項３】
前記電源コントローラは、更に第４信号伝送インターフェースを備え、前記第４信号伝送インターフェースは、前記第１マイクロ制御手段に接続され、入力装置からのトリガー信号を受信し、前記電源コントローラは、前記ホストコンピュータに前記トリガー信号を伝送し、前記ホストコンピュータの操作モードを前記非稼働モードから前記稼働モードに切り替えるように制御し、
前記電源コンセントは、
本体と、
前記本体内に設けられ、前記第１制御信号を受信する第２通信手段と、
前記本体内に設けられ、前記第１制御信号に基づいて、前記電源コンセントの給断電をオン・オフするように、スイッチ手段を制御する第２マイクロ制御手段と、
を更に含むことを特徴とする請求項２に記載の省電力装置。
【請求項４】
前記電源コンセントは、更に、
第２マイクロ制御手段に接続され、交流電流ＡＣを直流電流ＤＣに変換するとともに、前記第２マイクロ制御手段に前記直流電流ＤＣを出力する電源変換手段と、
前記電源変換手段に接続され、前記直流電流ＤＣを受けて充電電力に変換して出力する充電手段と、
前記充電手段に接続され、前記充電電力を伝送する第３信号伝送インターフェースと、
を含むことを特徴とする請求項３に記載の省電力装置。
【請求項５】
電源コントローラと電源コンセントとを含み、ホストコンピュータの周辺機器の電力消費を省電力化するための省電力装置の省電力方法であって、
前記電源コントローラが、第１信号伝送インターフェースと前記ホストコンピュータの第２信号伝送インターフェースとの間で互いに通信して、前記ホストコンピュータの稼働モードまたは非稼働モードである操作モードを検知することと、
前記ホストコンピュータが前記稼動モードの場合、前記電源コントローラは、給電起動信号である制御信号を出力し、前記ホストコンピュータが前記非稼動モードの場合、前記電源コントローラは、給電停止信号である制御信号を出力することと、
前記電源コンセントが、前記制御信号に基づいて、前記ホストコンピュータの周辺機器への給断電を制御することとを含む省電力装置の省電力方法。
【請求項６】
前記電源コントローラは、前記ホストコンピュータにテスト信号を出力するとともに、前記ホストコンピュータからの回答信号を受信し、前記ホストコンピュータが前記非稼働モードであるか否かを判断し、前記ホストコンピュータが前記非稼働モードであると判断した場合、前記電源コントローラは、給電停止信号である前記制御信号を出力し、給電を停止するように前記電源コンセントを制御し、前記電源コントローラは、前記ホストコンピュータが前記非稼働モードでないと判断した場合、前記ホストコンピュータの前記操作モードを引き続き検知し、前記電源コンセントが給電を停止した後に、前記電源コントローラは、操作モード信号が稼働モード信号であるか否かを判断し、前記操作モード信号が前記稼働モード信号であると判断した場合、前記電源コントローラは、給電起動信号である前記制御信号を出力し、給電するように前記電源コンセントを制御することを特徴とする請求項５に記載の省電力装置の省電力方法。
【発明の詳細な説明】
【技術分野】
【０００１】
本発明は、省電力装置に係り、特に、ホストコンピュータの信号伝送状態に基づいて、電源コンセントの給断電を切り替える省電力装置に関するものである。
【背景技術】
【０００２】
現在市場で良く見られる延長コードは、ユーザが電源コンセントの給断電を行なうための１つ以上の電源スイッチを有する。しかしながら、ユーザがコンピュータをシャットダウンする際に、延長コードの電源スイッチを切ることは、通常行なわれておらず、また、周辺機器の電源スイッチを切ることも忘れ易い。このように、電源スイッチを切断せずに、長時間、電気機器を作動させる事は、電気機器の破損を招くと共に、電力の無駄となっている。
【発明の概要】
【発明が解決しようとする課題】
【０００３】
前記課題に鑑みて、本発明が解決しようとする技術課題は、従来の電源コンセントでは、その給断電を制御できずに大量の電力を消費してしまうという問題を、ホストコンピュータの信号伝送状態に基づいて、電源コンセントの給断電を制御することにより解決することにある。
【０００４】
すなわち、本発明の目的は、電源コントローラと電源コンセントとを組み合わせて、電源コントローラにより電源コンセントの給断電を制御する省電力装置を提供することにある。
【課題を解決するための手段】
【０００５】
前記技術課題を解決するため、本発明による省電力装置は、ホストコンピュータの周辺機器の電力消費を省電力化するための省電力装置であって、電源コントローラと電源コンセントとを備え、前記電源コントローラは、前記ホストコンピュータの第２信号伝送インターフェースを介して、前記ホストコンピュータの操作モードを検知する第１信号伝送インターフェースを有し、前記ホストコンピュータの操作モードに基づいて制御信号を出力する。前記操作モードは、稼働モードまたは非稼働モードであり、前記ホストコンピュータが稼働モードの場合、前記制御信号は給電起動信号であり、前記ホストコンピュータが非稼働モードの場合、前記制御信号は給電停止信号であり、かつ、前記ホストコンピュータが非可動モードの場合、前記電源コンセントは、前記ホストコンピュータの周辺機器への給電を遮断する。
【０００６】
本発明の他の提案による省電力方法は、ホストコンピュータの周辺機器の電力消費を省電力化するための省電力装置に適用する省電力方法であって、電源コントローラが第１信号伝送インターフェースと前記ホストコンピュータの第２信号伝送インターフェースとの間で互いに通信し、前記ホストコンピュータの操作モードを検知することと、前記電源コントローラが検知結果に基づいて、前記電源コンセントに制御信号を出力することと、前記電源コンセントが前記制御信号に基づいて、前記電源コンセントの給断電を制御することと、前記電源コンセントが前記制御信号に基づいて、前記ホストコンピュータの周辺機器への給断電を制御することとを含む。
【図面の簡単な説明】
【０００７】
【図１】本発明に係る省電力装置の実施例を示す図である。
【図２】本発明に係る省電力装置の電源コントローラの実施例を示すブロック図である。
【図３】本発明に係る省電力装置の電源コンセントの実施例を示すブロック図である。
【図４】本発明に係る省電力装置の他の実施例を示す図である。
【図５】本発明に係る省電力装置の電源コントローラの他の実施例を示すブロック図である。
【図６】本発明に係る省電力方法の実施例の工程を示すフローチャートである。
【発明を実施するための形態】
【０００８】
図１は、本発明に係る省電力装置の実施例を示す図である。図１に示すように、省電力装置１は、電源コントローラ１１と電源コンセント１３とを備え、電源コントローラ１１は、有線または無線の信号伝送を行なうため、電源コンセント１３に対して選択的に接続または遮断可能となっている。電源コンセント１３には、ホストコンピュータ２０及びその周辺電気機器３０、４０、５０を接続し、電力供給を行なう。電源コントローラ１１は、電源コンセント１３から取り外し、ホストコンピュータ２０に接続することができる。この電源コントローラ１１は、ホストコンピュータ２０の操作モードに基づいて、電源コンセント１３の給断電を制御する。
【０００９】
ホストコンピュータ２０は、例えば卓上型パソコンまたはノートブック型パソコンである。電源コンセント１３は、本体１３１と、メインコンセント１３３と、少なくとも１つの被制御コンセント１３５とを備え、メインコンセント１３３と被制御コンセント１３５とは、いずれも本体１３１に設けられている。メインコンセント１３３は、ホストコンピュータ２０の接続に使用される。被制御コンセント１３５は、１つまたは２つ以上のコンセント群であり、電源コントローラ１１により制御される。被制御コンセント１３５が２つ以上のコンセント群である場合、電源コントローラ１１により、それぞれ個別または同時に制御される。また、被制御コンセント１３５には、ホストコンピュータ２０の周辺電気機器３０、４０、５０が接続される。周辺電気機器は、例えば、プリンタ３０、音響機器４０及び総合アクセスデバイス（ＩＡＤ）５０などのうちの１種もしくは、２種以上の組み合わせである。被制御コンセント１３５は、１列または２列のコンセント群であり、２列のコンセント群である場合、その１列は、常時オン（always on）とされ、他のもう１列は、電源コントローラ１１により、それぞれ個別または同時に制御される。ユーザは、必要に応じて、被制御コンセント１３５に周辺電気機器３０、４０、５０を選択的に接続することができる。
【００１０】
電源コントローラ１１は、記憶装置及びマルチメディアオーディオモジュールのうちの１つまたはそれらの組み合わせである。電源コントローラ１１には、例えば、携帯型音楽プレーヤーや、フラッシュメモリーまたはあらゆるプロテクトドングルを使用することができる。電源コントローラ１１は、第１信号伝送インターフェース１１１、すなわち、例えば、ＵＳＢインターフェースまたはＳＡＴＡインターフェースなどの伝送インターフェースを有し、ホストコンピュータ２０の第２信号伝送インターフェース２０１を介して、ホストコンピュータ２０の操作モードを検知する。ここで、ＵＳＢインターフェースの一例としては、ＵＳＢ２．０インターフェース、ＵＳＢ３．０インターフェースまたはＭｉｎｉ  ＵＳＢインターフェースが挙げられる。なお、ホストコンピュータ２０の操作モード(operation mode)は、稼働モードまたは非稼働モードである。本実施例において、非稼働モードとは、ACPI(Advanced Configuration and Power Interface)規格に従って、システムパワー状態(system power state)を定義した休止状態(hibernation state)または停止状態(soft off state)である。このうち、休止状態とは、ホストコンピュータ２０を一定時間放置した際に自動的に切り替わる状態であり、省電力化の効果が有る。
【００１１】
パソコンシステムの一例を挙げると、ホストコンピュータ２０は、電源供給手段（図示せず）とモードモニタ手段（図示せず）とを備え、モードモニタ手段は、電源供給手段からの電流の大きさをモニタすることにより、ホストコンピュータ２０の操作モードを判断するとともにモード信号を出力する。例えば、モードモニタ手段は、電源供給手段からの電源または電圧レベルが所定の閾値よりも低いことを検知した場合、ホストコンピュータ２０が非稼働モードであると判断し、非稼働モード信号を出力する。また、電源供給手段からの電源または電圧レベルが所定の閾値よりも高いことを検知した場合、モードモニタ手段は、ホストコンピュータ２０が稼働モードであると判断し、稼働モード信号を出力する。
【００１２】
より具体的には、モードモニタ手段は、汎用入出力(GPIO)を有し、汎用入出力の１つのピンが第２信号伝送インターフェース２０１に接続され、電源コントローラ１１は、第１信号伝送インターフェース１１１を介して、第２信号伝送インターフェース２０１に接続され、これにより、一方向または双方向の信号伝送が行なわれる。例えば、電源コントローラ１１がホストコンピュータ２０に接続された場合、ホストコンピュータ２０は、まず、接続された電源コントローラ１１がどのような装置であるかを順番に問う方式で判断し、電源コントローラ１１も、ホストコンピュータ２０からの電源信号、データ信号または指令信号を受信する。これにより、電源コントローラ１１は、ホストコンピュータ２０のモード信号を受信して、ホストコンピュータ２０の操作モードを検知し、ホストコンピュータ２０も、電源コントローラ１１を介して、電源コンセント１３の給電状態をモニタする。
【００１３】
本実施例では、電源コンセント１３は、電源コントローラ１１を収納するための収容溝１３９を更に含む。収容溝１３９は、第３信号伝送インターフェース１３６を有し、第３信号伝送インターフェース１３６は、第１信号伝送インターフェース１１１に対応している。すなわち、第１信号伝送インターフェース１１１がＵＳＢインターフェースの凸端であれば、第３信号伝送インターフェース１３６は、ＵＳＢインターフェースの凹端であり、第１信号伝送インターフェース１１１がＳＡＴＡインターフェースの凸端であれば、第３信号伝送インターフェース１３６は、ＳＡＴＡインターフェースの凹端である。なお、凹凸端は逆であっても良い。
【００１４】
電源コントローラ１１は、さらに、第１操作手段１１３を有する。第１操作手段１１３は、ボタンやつまみであり、ユーザにより操作され、このユーザの操作に基づいて、電源コントローラ１１を手動モードまたは自動モードに切り替えることができる。電源コントローラ１１を手動モードとした場合、ユーザは、電源コントローラ１１とホストコンピュータ２０とを分離するとともに、電源コントローラ１１を手動リモコンとして、電源コンセント１３の給断電を特定の範囲内で遠隔操作することができる。電源コントローラ１１を自動モードとした場合、すなわち、電源コントローラ１１とホストコンピュータ２０とが電気的に接続された場合、電源コントローラ１１は、ホストコンピュータ２０の操作モードに基づいて、被制御コンセント１３５の給断電を制御する。電源コントローラ１１は、さらに、第１指示手段１１５を有する。第１指示手段１１５は指示灯であり、指示灯の輝度や点灯数により、電源コントローラ１１の現在の電量状態または低電量時の提示を行なう。
【００１５】
電源コンセント１３の本体１３１は、第２操作手段１３７を更に有する。第２操作手段１３７は、電源切り替えスイッチのボタンやつまみであり、ユーザの手動操作により、メインコンセント１３３または被制御コンセント１３５の給断電を切り替える。電源コントローラ１１の制御により、被制御コンセント１３５の給電が遮断されている場合、ユーザが第２操作手段１３７を手動操作することにより、被制御コンセント１３５の給電を強制的に開始することができる。本体１３１には、第２指示手段１３８がさらに設けられている。第２指示手段１３８は指示灯であり、被制御コンセント１３５の給電状態または電源コンセント１３のスパイク保護状態を提示する。
【００１６】
図２及び図３を参照して、省電力装置に含まれた素子及びその動作原理を説明する。
【００１７】
図２は、本発明に係る省電力装置の電源コントローラの実施例を示すブロック図である。図２に示すように、電源コントローラ１１は、第１マイクロ制御手段１１０と、第１信号伝送インターフェース１１１と、第１操作手段１１３と、第１指示手段１１５と、第１通信手段１１７と、記憶手段１１９とを備える。第１信号伝送インターフェース１１１、第１操作手段１１３、第１指示手段１１５、第１通信手段１１７及び記憶手段１１９は、第１マイクロ制御手段１１０に接続されている。
【００１８】
第１信号伝送インターフェース１１１は、ＵＳＢインターフェースまたは他の伝送インターフェースであり、電源コントローラ１１がホストコンピュータ２０に接続された場合、第１信号伝送インターフェース１１１は、ホストコンピュータ２０からのモード信号Ｓ１を受信する。モード信号Ｓ１は、稼働モード信号または非稼働モード信号である。第１マイクロ制御手段１１０は、モード信号Ｓ１に基づいて第１制御信号Ｃ１を発生する。例えば、第１信号伝送インターフェース１１１が稼働モード信号であるモード信号Ｓ１を受信すると、第１マイクロ制御手段１１０が発生する第１制御信号Ｃ１は、給電起動信号であり、第１信号伝送インターフェース１１１が非稼働モード信号であるモード信号Ｓ１を受信すると、第１マイクロ制御手段１１０が発生する第１制御信号Ｃ１は、給電停止信号である。第１通信手段１１７は、無線高周波モジュール、Ｂｌｕｅｔｏｏｔｈ（登録商標）通信モジュールまたは赤外線通信モジュールである。第１マイクロ制御手段１１０が第１制御信号Ｃ１を発生した場合、第１通信手段１１７は、電源コンセント１３に第１制御信号Ｃ１を出力し、電源コンセント１３の給断電を制御する。
【００１９】
第１マイクロ制御手段１１０は、更に、ホストコンピュータ２０が非稼働モードを、所定時間、持続したか否かを判断する。第１マイクロ制御手段１１０が非稼働モード信号を受信すると、所定時間の後に、テスト信号を発生するとともに、第１信号伝送インターフェース１１１を介してホストコンピュータ２０に伝送し、ホストコンピュータ２０がテスト信号に基づいてモード信号を返送し、モード信号が非稼働モードである場合、第１マイクロ制御手段１１０は、第１制御信号Ｃ１を発生する。この時の第１制御信号Ｃ１は給電停止信号である。テスト信号を出力して返送されたモード信号が稼働モード信号である場合、電源コントローラ１１は、第１制御信号Ｃ１を出力せず、引き続き電源コントローラ１１によりホストコンピュータ２０の操作モードを検知する。
【００２０】
第１マイクロ制御手段１１０は、さらに、ユーザによる第１操作手段１１３の操作に基づいて、電源コントローラ１１の操作モード、例えば、手動モードまたは自動モードを切り替える。記憶手段１１９は、第１マイクロ制御手段１１０の処理の順序に関するソフトウェアを記憶する。
【００２１】
図３は、本発明に係る省電力装置の電源コンセントの実施例を示すブロック図である。図３に示すように、電源コンセント１３は、第２マイクロ制御手段１３０と、電源変換手段１３２１と、第２通信手段１３４と、スイッチ手段１３２５と、第２操作手段１３７と、第２指示手段１３８と、第３信号伝送インターフェース１３６と、充電手段１３２３と、メインコンセント１３３と、被制御コンセント１３５とを備える。電源変換手段１３２１、第２通信手段１３４、第２操作手段１３７及び第２指示手段１３８が第２マイクロ制御手段１３０に接続され、充電手段１３２３が第３信号伝送インターフェース１３６及び電源変換手段１３２１にそれぞれ接続され、スイッチ手段１３２５が第２マイクロ制御手段１３０及び被制御コンセント１３５にそれぞれ接続され、電源変換手段１３２１がメインコンセント１３３及びスイッチ手段１３２５にそれぞれ接続されている。
【００２２】
電源変換手段１３２１は、交流電流ＡＣを直流電流ＤＣに変換するとともに、第２マイクロ制御手段１３０及び充電手段１３２３に直流電流ＤＣを出力する。外部装置が電源コンセント１３に接続された場合、充電手段１３２３は、直流電流ＤＣを充電電力に変換し、第３信号伝送インターフェース１３６を介して、第３信号伝送インターフェース１３６に接続された外部装置に供給する。該外部装置は、電源コントローラ１１または他の第３信号伝送インターフェース１３６に対応する信号伝送インターフェースを有する装置である。電源コンセント１３は、第３信号伝送インターフェース１３６を介して、電源コントローラ１１または他の外部装置を充電する。例えば、外部装置が電源コントローラ１１である場合、電源コンセント１３は、電源コントローラ１１がホストコンピュータ２０から分離され、手動モードで使用される際に必要とする電力を供給する。第２マイクロ制御手段１３０は、さらに、電源変換手段１３２１のスパイク保護状態に基づいて、第２指示手段１３８の提示を制御する。
【００２３】
第２通信手段１３４は、第１通信手段１１７との間で互いに通信でき、第１制御信号Ｃ１を受信し、被制御コンセント１３５の給電状態信号を出力する。第２マイクロ制御手段１３０は、第１制御信号Ｃ１に基づいて、スイッチ手段１３２５のオン・オフを制御する。被制御コンセント１３５は、電源のオン・オフを制御し、被制御コンセント１３５の給電状態に基づいて給電状態信号を出力する。例えば、第１制御信号Ｃ１が給電停止信号である場合、スイッチ手段１３２５がオフとなり、第１制御信号Ｃ１が給電起動信号である場合、スイッチ手段１３２５がオンとなる。スイッチ手段１３２５は、継電器などの切り替え手段である。第２マイクロ制御手段１３０は、スイッチ手段１３２５の切り替え状態に基づく被制御コンセント１３５の給電状態を、ユーザが視認することができるように、第２指示手段１３８の提示を制御する。第２マイクロ制御手段１３０は、さらに、ユーザによる第２操作手段１３７の操作に基づいて、スイッチ手段１３２５のオン・オフを制御することができる。
【００２４】
図４は、本発明に係る省電力装置の他の実施例を示す図であり、図５は、本発明に係る省電力装置の電源コントローラの他の実施例を示すブロック図である。図４に示す省電力装置１’と図１の省電力装置１との相違点は、省電力装置１’における電源コントローラ１１’が、第４信号伝送インターフェース１１２を更に備える点である。この第４信号伝送インターフェース１１２には、例えばマウスやキーボードのような入力装置２１の第５信号伝送インターフェース２１１を接続することができ、これにより、入力装置２１とホストコンピュータ２０との間で互いに信号伝送することができる。図５に示すように、第４信号伝送インターフェース１１２は、入力装置２１のクリックまたはドラッグなどの指令信号である第２信号Ｓ２を受信し、第１マイクロ制御手段１１０は、第４信号伝送インターフェース１１２が第２信号Ｓ２を受信したか否かに基づいて、電源コンセント１３の給断電を制御する。例えば、第４信号伝送インターフェース１１２がホストコンピュータ２０を稼働モードとする第２信号Ｓ２を受信した場合、第１マイクロ制御手段１１０は、給電起動信号である第２制御信号Ｃ２を出力し、第１通信手段１１７を介して第２通信手段１３４に第２制御信号Ｃ２を伝送し、電源コンセント１３は、第２制御信号Ｃ２に基づいて、電源コンセント１３の給電を開始する。本実施例では、電源コントローラ１１’は、ホストコンピュータ２０が非稼働モードから稼働モードに切り替えられるトリガー信号として、入力装置２１からの第２信号Ｓ２をホストコンピュータ２０に伝送し、ホストコンピュータ２０が稼働モードに切り替えられると、電源コントローラ１１’は、ホストコンピュータ２０の稼働モード信号に基づいて、電源コンセント１’を制御する。
【００２５】
なお、入力装置２１は、電源コントローラ１１’と無線信号伝送を行なっても良い。
【００２６】
図６は、本発明に係る省電力方法の実施例の工程を示すフローチャートである。図６に示すように、省電力方法は、電源コントローラ１１、１１’がホストコンピュータ２０に接続された場合、電源コントローラ１１、１１’は、ホストコンピュータ２０の操作モード、すなわち、稼働モードまたは非稼働モードを検知し（Ｓ６０１）、電源コントローラ１１、１１’は、ホストコンピュータ２０が稼働モードであるか否かを判断し、ホストコンピュータ２０が電源コントローラ１１、１１’に稼働モード信号を出力する（Ｓ６０３）。ホストコンピュータ２０の操作モードが稼働モードであると判断された場合、電源コントローラ１１、１１’は、電源コンセント１、１’に給電起動信号を出力し（Ｓ６１３）、且つ、ホストコンピュータ２０の操作モードを引き続き検知する（Ｓ６０１）。
【００２７】
ホストコンピュータ２０が非稼働モードであると判断した場合、電源コントローラ１１、１１’は、所定時間の後に、ホストコンピュータ２０にテスト信号を出力し（Ｓ６０５）、ホストコンピュータ２０が出力したモード信号が非稼働モード信号であるか否かを判断する（Ｓ６０７）。ホストコンピュータ２０が出力したモード信号が非稼働モード信号であると判断した場合、電源コントローラ１１、１１’は、電源コンセント１３に給電停止信号である第１制御信号Ｃ１を出力し（Ｓ６０９）、電源コンセント１３の被制御コンセント１３５の給電を停止するように制御する。ホストコンピュータ２０が出力したモード信号が稼働モード信号であると判断した場合、電源コントローラ１１、１１’は、第１制御信号Ｃ１を出力せず、ホストコンピュータ２０が稼働モードであるか否かへの判断に戻る（Ｓ６０３）。
【００２８】
被制御コンセント１３５の給電を停止した後に、電源コントローラ１１、１１’は、稼働モード信号を受信したか否かを判断し（Ｓ６１１）、稼働モード信号を受信した場合、電源コントローラ１１、１１’は、電源コンセント１３に給電起動信号である第１制御信号Ｃ１を出力し、電源コンセント１３の被制御コンセント１３５の給電を回復するように制御し（Ｓ６１３）、ホストコンピュータ２０の操作モードを引き続き検知する（Ｓ６０１）。
【符号の説明】
【００２９】
１、１’        省電力装置
１１、１１’    電源コントローラ
１１０          第１マイクロ制御手段
１１１          第１信号伝送インターフェース
１１２          第４信号伝送インターフェース
１１３          第１操作手段
１１５          第１指示手段
１１７          第１通信手段
１１９          記憶手段
１３            電源コンセント
１３０          第２マイクロ制御手段
１３１          本体
１３２１        電源変換手段
１３２３        充電手段
１３２５        スイッチ手段
１３３          メインコンセント
１３４          第２通信手段
１３５          被制御コンセント
１３６          第３信号伝送インターフェース
１３７          第２操作手段
１３８          第２指示手段
１３９          収容溝
２０            ホストコンピュータ
２０１          第２信号伝送インターフェース
２１            入力装置
２１１          第５信号伝送インターフェース
３０            プリンタ
４０            音響機器
５０            整合挿着装置
Ｃ１            第１制御信号
Ｃ２            第２制御信号
Ｓ１            第１信号
Ｓ２            第２信号
Ｓ６０１〜Ｓ６１３  省電力方法の実施例における各ステップ
【図１】
2011258173.tif 000003
【図２】
2011258173.tif 000004
【図３】
2011258173.tif 000005
【図４】
2011258173.tif 000006
【図５】
2011258173.tif 000007
【図６】
2011258173.tif 000008